(57)【要約】  交換できるインサートと共に使用される汎用有害生物防除ステーションは、ハウジング、ロック機構、第一のインサート、及び第二のインサートを含む。ハウジングは基底部、蓋、及び開口を含む。基底部と蓋はキャビティを形成し、開口が該キャビティへのアクセスを与える。基底部は底面を有し、ある面にしっかりと設置されるように構成され配置される。ロック機構は基底部と蓋を連結する。第一のインサートはキャビティ内に嵌合するように構成され配置され、第一のインサートは進入機構を含む。第二のインサートキャビティ内に嵌合するように構成され配置され、第二のインサートはスナップトラップを含む。第一のインサートと第二のインサートは交換して個別にハウジングと共に使用することができ、第一のインサートと第二のインサートは基底部の底面に対して高くなっている。
2010504092.tif 000002
【特許請求の範囲】
【請求項１】
交換できるインサートと共に使用される汎用有害生物防除ステーションであって、
基底部、蓋、及び開口を含むハウジングであって、前記基底部と前記蓋はキャビティを形成し、前記開口が前記キャビティへのアクセスをもたらし、前記基底部が底面を有し、ある面にしっかりと設置されるように構成され配置されているハウジングと、
前記基底部と前記蓋を連結するロック機構と、
前記キャビティ内に嵌合するように構成され配置された、進入機構を含む第一のインサートと、
前記キャビティ内に嵌合するように構成され配置された、スナップトラップを含む第二のインサートと、を含み、
前記第一のインサートと前記第二のインサートは交換して前記ハウジング内で個別に使用することができ、前記第一のインサートと前記第二のインサートは前記基底部の底面に対して高くなっていることを特徴とする汎用有害生物防除ステーション。
【請求項２】
前記第一のインサートが前記進入機構の近くに粘着ボードを含むことを特徴とする請求項１に記載の汎用有害生物防除ステーション。
【請求項３】
前記第二のステーションが前記スナップトラップの近くに餌を含むことを特徴とする請求項１に記載の汎用有害生物防除ステーション。
【請求項４】
前記ハウジングが、該ハウジング内に有害生物がトラップされたときに、それを表示する信号機構を含むことを特徴とする請求項１に記載の汎用有害生物防除ステーション。
【請求項５】
前記第一のインサートがさらに、
インサート基底部、インサート蓋、及びインサート開口を含むインサート・ハウジングであって、前記インサート基底部と前記インサート蓋は有害生物を収容するように構成され配置されたインサート・キャビティを形成し、前記インサート開口は前記インサート・キャビティへのアクセスをもたらす、インサート・ハウジングと、
前記インサート開口の近くの進入機構であって、該進入機構は前記インサート・キャビティへの進入を許し、該インサート・キャビティからの退去を阻止する進入機構と、
前記インサート開口の近くで前記インサート・ハウジングに着脱可能に結合できるアクセス部材と、を含み、
前記インサート・ハウジングは、前記アクセス部材を前記インサート・ハウジングから取り外すことによって個別に使用でき、該インサート・ハウジングを前記ステーション・キャビティ内に配置することによって前記有害生物防除ステーションと共に使用できることを特徴とする請求項１に記載の汎用有害生物防除ステーション。
【請求項６】
前記第二のインサートがさらに
前記ステーション・キャビティ内に嵌合するように構成され配置されたインサート・ハウジングであって、該インサート・ハウジングはインサート基底部、側面（複数）、及び前面部分を有し、前記インサート基底部は前部と背部を有し、前記インサート基底部と前記側面（複数）はインサート・キャビティを形成し、前記前面部分は前記インサート・キャビティへのアクセスを許し、前記インサート基底部は前記前部の近くから前記背部の近くへ傾斜し、かつ結合部材を含むインサート・ハウジングと、
前記インサート・キャビティ内に配置され、前記結合部材によって着脱可能にその位置に保たれる第一のスナップトラップ及び第二のスナップトラップであって、前記結合部材は前記第一のスナップトラップ及び第二のスナップトラップがスライドして前記インサート基底部から出ることを阻止する、第一のスナップトラップ及び第二のスナップトラップと、
を含み、該第一及び第二のスナップトラップと前記結合部材との間の着脱可能な結合が、前記第一のスナップトラップが作動したときの前記第二のスナップトラップの作動を減らすことを特徴とする請求項１に記載の汎用有害生物防除ステーション。
【請求項７】
有害生物防除ステーションと共に使用するインサートであって、前記有害生物防除ステーションはステーション・キャビティを有するステーション・ハウジングを含み、
前記インサートは、
基底部、蓋、及び開口を含むインサート・ハウジングであって、前記基底部と前記蓋は有害生物を収容するように構成され配置されたインサート・キャビティを形成し、前記開口が前記インサート・キャビティへのアクセスをもたらすインサート・ハウジングと、
前記インサート・キャビティへの進入を許し、該インサート・キャビティからの退去を阻止する前記開口の近くの進入機構と、
前記開口の近くで前記インサート・ハウジングに着脱可能に結合できるアクセス部材と、を含み
前記インサート・ハウジングは、該インサート・ハウジングから前記アクセス部材を取り外すことによって個別に使用することができ、前記インサート・ハウジングは該インサート・ハウジングをステーション・キャビティ内に配置することによって前記有害生物防除ステーションと共に使用できることを特徴とするインサート。
【請求項８】
前記インサート・ハウジングが、前記蓋を開くことなく前記キャビティ内に収容された有害生物の視覚的表示をもたらす複数の開き口（アーパーチャー）を含むことを特徴とする請求項７に記載のインサート。
【請求項９】
粘着ボードが前記キャビティ内に前記進入機構の近くに配置されることを特徴とする請求項７に記載のインサート。
【請求項１０】
前記インサート・ハウジングを前記ステーション・キャビティ内に配置したときに前記アクセス部材が前記インサート・ハウジングに取り付けられることを特徴とする請求項７に記載のインサート。
【請求項１１】
前記進入機構が取り外し可能であることを特徴とする請求項７に記載のインサート。
【請求項１２】
有害生物防除ステーションと共に使用するインサートであって、前記有害生物防除ステーションはステーション・キャビティを有するステーション・ハウジングを含み、
前記インサートは、
前記ステーション・キャビティ内に嵌合するように構成され配置されたインサート・ハウジングであって、該インサート・ハウジングは基底部、側面（複数）、及び前面部分を有し、前記基底部は前部と背部を有し、前記基底部と前記側面（複数）はインサート・キャビティを形成し、前記前面部分は前記インサート・キャビティへのアクセスを可能にし、前記基底部は前記前部の近くから前記背部の近くへ傾斜し、かつ結合部材を含むインサート・ハウジングと、
前記インサート・キャビティ内に配置され、前記結合部材によって着脱可能にその位置に保たれる第一のスナップトラップ及び第二のスナップトラップであって、前記結合部材は前記第一のスナップトラップ及び第二のスナップトラップがスライドして前記基底部から外れることを阻止する、第一のスナップトラップ及び第二のスナップトラップと、
を含み、前記第一及び第二のスナップトラップと前記結合部材との間の着脱可能な結合が、前記第一のスナップトラップが作動したときの前記第二のスナップトラップの作動を減らすことを特徴とするインサート。
【請求項１３】
前記結合部材が前記基底部から前記第一及び第二のスナップトラップにおける空所への上向き突起部であることを特徴とする請求項１２に記載のインサート。
【請求項１４】
前記結合部材が前記前面部分の近くのリップであることを特徴とする請求項１２に記載のインサート。
【請求項１５】
前記インサート・キャビティ内にさらに、餌を含むことを特徴とする請求項１２に記載のインサート。
【請求項１６】
前記第一及び第二のスナップトラップが前記インサート・キャビティから除去され、さらに餌が結びつけられるロッドを含み、前記ロッドが前記インサート・ハウジングに結合され、前記餌が前記インサート・キャビティ内にあることを特徴とする請求項１２に記載のインサート。
【請求項１７】
前記ロッドが前記インサート・ハウジングの側面（複数）に結合されることを特徴とする請求項１６に記載のインサート。
【請求項１８】
有害生物防除ステーションにおいてインサート交換する方法であって、
前記有害生物防除ステーションの蓋を基底部に連結するロック機構のロックを解除するステップと、
前記蓋を開くステップと、
前記有害生物防除ステーションのキャビティから進入機構を含む第一のインサートを取り出すステップと、
前記有害生物防除ステーションの前記キャビティに第一及び第二のスナップトラップを含む第二のインサートを入れるステップと、
蓋を閉じるステップと、
前記蓋を前記基底部に連結するように前記ロッキング機構を固定するステップと、
を含む方法。
【請求項１９】
前記基底部をある表面に固定して、前記蓋と前記基底部を前記ロック機構で連結したときに前記有害生物防除ステーションにいたずら防止機能を付けるステップを、さらに含む請求項１８に記載の方法。
【請求項２０】
前記有害生物防除ステーションと別に前記第一のインサートを使用するステップを、さらに含む請求項１８に記載の方法。
【請求項２１】
粘着ボードを前記第一のインサート内で前記進入機構の近くに配置するステップを、さらに含む請求項１８に記載の方法。
【請求項２２】
さらに、餌を前記第二のインサート内で前記第一のスナップトラップ及び前記第二のスナップトラップの近くに配置するステップを、さらに含む請求項１８に記載の方法。
【発明の詳細な説明】
【技術分野】
【０００１】
本発明は、インサート（insert）を交換できる汎用有害生物（pest）防除ステーションに関する。
【背景技術】
【０００２】
有害生物防除ステーションは、ラットやマウスなどの齧歯類、昆虫、その他の有害生物（pest）の侵入と横行から施設を守るためのトラップ機構と餌をしっかりと保持するために用いられている。餌の使用は、有害生物（pest）から施設を守るための昔から続いている有効なやり方である。最近、立法関係者や消費者団体が、有害生物防除業界に対し有毒な餌の使用に頼らない別の方法を、主として監視とトラッピングによる別の方法を見つけるように求めている。しかし、有害生物防除ステーションを別の装置に代えるコストはきわめて高く、そのような別の方法を採用する勇気がくじかれる。本発明は、従来の装置の問題を取り上げて、インサートを交換できる汎用有害生物防除ステーションを提供する。
【発明の概要】
【０００３】
本発明のひとつの態様は、ハウジング、ロック機構、第一のインサート、及び第二のインサートを含む交換可能なインサートと共に用いられる汎用有害生物（pest）防除ステーションを提供する。ハウジングは、基底部（base）、蓋及び開口を含む。基底部と蓋はキャビティ（cavity）を形成し、開口はそのキャビティへのアクセスとなる。基底部は底面を有し、ある面にしっかりと設置されるように構成され配置される。ロック機構は基底部と蓋を連結している。第一のインサートはキャビティ内に嵌合するように構成され配置され、第一のインサートは進入（entrance）機構を含む。第二のインサートはキャビティ内に嵌合するように構成され配置され、第二のインサートはスナップトラップ（snap trap）を含む。第一のインサートと第二のインサートは交換してハウジングと個別に使用することができ、第一のインサートと第二のインサートは基底部の底面に対して高くなっている。
【０００４】
本発明の別の態様は、有害生物防除ステーションと共に用いるインサートを提供し、有害生物防除ステーションはステーション・キャビティを有するステーション・ハウジングを含む。インサートは、インサート・ハウジング、進入機構、及びアクセス部材を含む。インサート・ハウジングは、基底部、蓋、及び開口を含む。基底部と蓋は有害生物を入れるように構成され配置されたインサート・キャビティを形成し、開口はこのインサート・キャビティへのアクセスとなる。進入機構は開口に近く、この進入機構はインサート・キャビティへの進入を許すがインサート・キャビティからの退去を阻止する。アクセス部材は開口に近いインサート・ハウジングに着脱可能に結合できる。インサート・ハウジングはアクセス部材をインサート・ハウジングから取り外すことによって個別に使用することができ、インサート・ハウジングは、ステーション・キャビティ内にインサート・ハウジングを配置することによって有害生物防除ステーションと共に使用できる。
【０００５】
本発明の別の態様は、有害生物防除ステーションと共に使用するインサートを提供し、有害生物防除ステーションはステーション・キャビティを有するステーション・ハウジングを含む。インサートは、インサート・ハウジング、第一のスナップトラップ、及び第二のスナップトラップを含む。インサート・ハウジングは、ステーション・キャビティ内に嵌合するように構成され配置される。インサート・ハウジングは、基底部、側面（複数）及び前面部分を有する。基底部は、前部（front）と背部（rear）を有する。基底部と側面（複数）はインサート・キャビティを形成し、前面部分がこのインサート・キャビティへのアクセスを可能にする。基底部は、前部の近くから背部の近くへ傾斜しており、結合部材を含む。第一のスナップトラップと第二のスナップトラップはインサート・キャビティ内に位置し、結合部材によって着脱可能にその位置に保持される。結合部材は第一のスナップトラップと第二のスナップトラップが基底部からスライドして外れることを防ぐ。第一のスナップトラップと第二のスナップトラップの間の着脱可能な結合と結合部材が、第一のスナップトラップが作動したときに第二のスナップトラップが作動することを減らす。
【０００６】
本発明の別の態様は、有害生物防除ステーションにおいてインサートを交換する方法を提供する。有害生物防除ステーションの蓋を基底部に連結しているロック機構のロックが解除され、蓋が開かれる。進入機構を含む第一のインサートが有害生物防除ステーションから取り出される。第一のスナップトラップと第二のスナップトラップを含む第二のインサートが有害生物防除ステーションのキャビティ内に入れられる。蓋が閉じられ、ロック機構が蓋を基底部に連結するように固定される。
【図面の簡単な説明】
【０００７】
【図１】本発明の原理によって構成された汎用有害生物防除ステーションを示す前方からの斜視図である。
【図２】図１に示された汎用有害生物防除ステーションの蓋を開いて示す前方からの斜視図である。
【図３】図１に示された汎用有害生物防除ステーションの基底部を示す上面図である。
【図４】図３に示された基底部の下方からの斜視図であり、一部切り欠いて第二のインサートの底面を示している。
【図５】図１に示された汎用有害生物防除ステーションの背面図である。
【図６】図１に示された汎用有害生物防除ステーションの蓋を開いて示す前方からの斜視図であり、蓋を開いて第一のインサートを示している。
【図７】図６の第一のインサートを示す前方からの斜視図である。
【図８】図７に示された第一のインサートの蓋を開いて示す側方からの斜視図である。
【図９】図７に示された蓋が開かれた第一のインサートと進入機構及び着脱可能なアクセス部材を示す後方からの分解斜視図である。
【図１０】図７に示された第一のインサートの一部に図９に示された着脱可能なアクセス部材を結合して示す図である。
【図１１】図７に示された第一のインサートに着脱可能なアクセス部材を結合して示す前方からの斜視図である。
【図１２】図７に示された第一のインサートに開かれた蓋と進入機構及び着脱可能なアクセス部材を結合して示す後方からの斜視図である。
【図１３】図１２に示された第一のインサートから着脱可能なアクセス部材を取り外して示す後方からの斜視図である。
【図１４】図１に示された汎用有害生物防除ステーションの蓋を開いて第二のインサートを現して示す前方からの斜視図である。
【図１５】図１４に示された汎用有害生物防除ステーションの基底部に位置する第二のインサートを示す断面図である。
【図１６】図１４に示された第二のインサートの前方からの斜視図である。
【図１７】図１４に示された第二のインサートにスナップトラップを配置して示す前方からの斜視図である。
【図１８】図１４に示された第二のインサートの一部分とスナップトラップを示す前方からの分解斜視図である。
【図１９】図１８に示されたスナップトラップを示す底面図である。
【図２０】図１に示された汎用有害生物防除ステーションの蓋を開いて第三のインサートを現して示す前方からの斜視図である。
【図２１】図２０に示された第三のインサートの前方からの斜視図である。
【図２２】図１に示された汎用有害生物防除ステーションで使用する第四のインサートを示す上方からの斜視図である。
【図２３】図２２に示されたインサートの蓋を開いて示す前方からの斜視図である。
【図２４】図２２に示されたインサートの蓋を取り除いて示す上面図である。
【図２５】図２２に示されたインサートの前方からの分解斜視図である。
【図２６】図２２に示されたインサートの後方からの分解斜視図である。
【発明を実施するための形態】
【０００８】
本発明の原理によるインサートを交換できる汎用有害生物防除ステーションは、図面において参照符号１００で表される。
【０００９】
汎用有害生物防除ステーション１００は、ハウジング１０１を含み、これは環境にとけ込むために草、石、排水路、その他に似せたいろいろな工夫された外観を有することができる。図１−５に示されているハウジング１０１は、基底部１０２と蓋１２４を含み、それらは交換できるインサートと有害生物を収容するキャビティ１３７を形成する。
【００１０】
基底部１０２は、底部１０３と側面１１４と１１７を含み、それらが底部１０３から上方へ伸びた前壁１０７と背壁１１１を連結している。前壁１０７，側面１１４と１１７，及び背壁１１１は基底部１０２のキャビティ１０８への開口１２０を形成する。底部１０３はキャビティ１０８内の内面中央近くにさら（pan）１０５を含む。さら（pan）１０５の底面は排水開き口（aperture）１２２と、釘やねじなどの固定具を挿通して基底部１０２を床や地面などの表面に固定するための開き口（aperture）１２３を含む。高くなったプラットホーム１０６が前壁１０７と側面１１４と１１７の近くでさら１０５を囲み、底部１０３の底面１０４及びさら１０５の底面に対して高くなっている。側面１１４と１１７は、それぞれ、切欠き１１５と１１８を背壁１１１の近くに含む。傾斜した通路１１６と１１９が、それぞれ、表面と切欠き１１５と１１８の近くから高くなったプラットホーム１０６までの傾斜路（ramp）になっている。背壁１１１とさら１０５の間に、管理記録を保持するように構成され配置されたレセプタクル１２１がある。
【００１１】
前壁１０７は、さら１０５の方へ内向きに伸びた突起部１０９を含み、それがロック機構１４２の雌部分１４４を含む。背壁１１１はさら１０５の方へ内向きに伸びた突起部１１２と１１３を含む。突起部１１２は、傾斜した通路１１６，高くなったプラットホーム１０６、及びさら１０５の交わるところに近い。突起部１１３は、傾斜した通路１１９，高くなったプラットホーム１０６、及びさら１０５の交わるところに近い。背壁１１１は、好ましくは前壁１０７よりも高く、背壁１１１を壁などの表面に固定するための釘やねじなどの固定具を挿通できる開き口１１１aを含む。
【００１２】
蓋１２４は、トッププレート１２５と側面１２８と１３０を含み、それらが前壁１２６と背壁１３３を連結している。背壁１３３は、基底部１０２の背壁１１１にヒンジ１３４で動作的に結合され、蓋１２４をヒンジ１３４のまわりで回動させて蓋を開閉できる。前壁１２６は突起部１２７を含み、それが内向きに伸びてロック機構１４２の雄部分１４３を含み、それが基底部１０２の前壁１０７にある雌部分１４４と対応している。第一の側面１２８は、第一の切欠き１２９を背壁１３３の近くに含み、蓋１２４が閉じられたときにそれが基底部１０２の第一の切欠き１１５と対応して開口１３８を形成する。第二の側面１３０は、第二の切欠き１３１を背壁１３３の近くに含み、蓋１２４が閉じられたときにそれが基底部１０２の第二の切欠き１１８と対応して開口１３９を形成する。側面１２８と１３０も、好ましくは内向き及び下向きに伸びた突起部１３２を含み、蓋１２４を閉じたときにそれがインサート１５０などのインサートを基底部１０２と蓋１２４の間で安定させる。突起部１３２は、また、蓋１２４にある程度の強度を加える。
【００１３】
基底部１０２と蓋１２４はキャビティ１３７を形成し、その中に交換できるインサートと有害生物が収容され、第一の開口１３８と第二の開口１３９がキャビティ１３７へのアクセスとなる。
【００１４】
底部１０３の底面１０４は、床や地面などの表面に位置させることができ、背壁１１１は壁などの表面に位置させることができる。釘やねじなどの固定具を開き口１２３に挿通して底部１０３を表面に固定したり、開き口１１１aに挿通して背壁１１１を壁に固定したりできる。あるいはまた、ハウジング１０１をコーナーに、前壁１０７と１２６をコーナーに向けて配置することもできる。
【００１５】
ロック機構１４２が蓋１２４を基底部１０２に固定し、キー（図示せず）を蓋１２４の溝に挿入して雄部分１４３を雌部分１４４から解放する。蓋１２４を基底部１０２に固定し、合わせて基底部１０２を表面に固定するするロック機構１４２によって、いたずら防止機能の付いたハウジング１０１が得られる。さらに、開口１３８と１３９のサイズによって、標的の有害生物以外のもの（例えば、ペットや子供）がキャビティ１３７とその内容物にアクセスする危険が最小になる。
【００１６】
ハウジング１０１は、また、有害生物がハウジング１０１又はインサート内にトラップされたときに表示する信号機構も含むことができる。そのような信号機構は当業者に周知の機械的手段及び電気的手段を含むことができる。機械的手段としては、有害生物がハウジング１０１又はインサート内にトラップされたときに跳ね上がってハウジングの近くで視覚的に表示するばねで付勢されたフラグがある。電気的手段としてはセンサ装置、送信機及び受信機で、インターネットを介して電子メールに急報を送るか携帯電話にメッセージを送るものがある。
【００１７】
ハウジング１０１は、全体が参照によって本明細書に組み込まれる、ネルソン（Nelson）らに与えられた米国特許第5,806,237号（US-A-5,806,237）に記載されているハウジングと同様であり、ハウジング１０１が汎用であるというのは、インサート１５０，１７０，１７０’、及び３００など、いろいろなインサートを収容できるように構成され配置されているからである。
【００１８】
図６−９及び図１１−１３に示されている第一のインサート１５０も、個別に又はハウジング１０１などの餌ステーションで使用するいくつかのオプションとしての形態を含むのでやはり汎用である。インサート１５０は、好ましくは、亜鉛めっきされたステンレス鋼で作られるが、プラスチックなど他の適当な物質で作ることもできる。インサート１５０は、底板１５２を有する基底部１５１と、底板１５２から上向きに伸びた前面１５８，側面１５３aと１５３b、及び背面１５７を含む。底板１５２は、好ましくは、６つの側面を含み、背面１５７と隣接する側面はそこから上向きに伸びている壁がなく、したがって、背面１５７と側面１５３aと１５３bの間で、それぞれ、開口１６８aと１６９aを形成する。開口１６８aの近くで側面１５３aと背面１５７の間にレセプタクル１５２aがあり、これは底板１５２から底板１５２に開口を形成して上向きに伸びたタブ（tab）である。開口１６９aと側面１５３bの近くにレセプタクル１５２bがあり、これは底板１５２から底板１５２に開口を形成して上向きに伸びたタブである。開口を形成するタブは、好ましくは、底板１５２からカットされた長方形の三つの隣接する辺で、カットされない第四の辺の近くで上向きに曲げられたものである。レセプタクル１５２aと１５２bは、好ましくは、長方形の開口であり長手軸が背面１５７に隣接する側面と平行に伸びている。
【００１９】
開口１６８aの近くに第一のタブ１５４aと第二のタブ１５５aがある。第一のタブ１５４aは、側面１５３aと底板１５２の交わりの近くで側面１５３aから外向きに伸びているタブである。第一のタブ１５４aは、好ましくは、長方形の三つの隣接する辺であり、最も長い辺が底板１５２からカットされ、隣接する辺が底板１５２から側面１５３に伸びている。第四の辺はカットされず、側面１５３aから外向きに伸びるように曲げられる。第二のタブ１５５aは、背面１５７と隣接する側面の交わりの近くで底板１５２から上向きに伸びているタブである。第二のタブ１５５aは、好ましくは、底板１５２からカットされた長方形の三つの隣接する辺である。第四の辺はカットされず、底板１５２から上向きに伸びるように曲げられる。
【００２０】
開口１６９aの近くに第一のタブ１５４bと第二のタブ１５５bがある。第一のタブ１５４bと第二のタブ１５５bは、第一のタブ１５４aと第二のタブ１５５aと同様に作られている。第一のタブ１５４aと第二のタブ１５５aは互いに平行に、第一のタブ１５４bと第二のタブ１５５bは互いに平行に、ほぼ開口１６８aと開口１６９aの幅だけ伸びている。
【００２１】
側面１５３aはレセプタクル１５９aを含み、側面１５３bはレセプタクル１５９bを含む。レセプタクル１５９aは、開口１６８aに近く、側面１５３aに平行なカットを入れ、カットの間で側面１５３aを内向きに曲げて生成される。同様に、レセプタクル１５９bは、開口１６９aに近く、側面１５３bに平行なカットを入れ、カットの間で側面１５３bを内向きに曲げて生成される。
【００２２】
蓋１６０はトッププレート１６３と、トッププレート１６３から下向きに伸びる前面１６６，側面１６４aと１６４b、及び背面１６５を含む。トッププレート１６３は、底板１５２の６つの側面に対応する６つの側面を含み、背面１６５に隣接する側面にはそこから下向きに伸びる壁がなく、したがって、背面１６５と側面１６４a及び１６４bの間に、それぞれ、開口１６８b及び１６９bが形成される。蓋１６０の前面１６６と基底部１５１の前面１５８は、好ましくは、ヒンジ１６１によって動作的に結合され、蓋１６０をヒンジ１６１のまわりに回動させてインサート１５０を開閉することができる。蓋１６０は、好ましくは基底部１５１よりもわずかに大きく、蓋１６０を閉じたときに前面１６６と側面１６４aと１６４bが基底部１５１の前面１５８と側面１５３aと１５３ｂにオーバーラップするようになっている。蓋１６０は、また、ヒンジによって基底部１５１に結合されるのでなく、単に基底部１５１の上にかぶせられる別のカバーであってもよい。蓋１６０を閉じたとき、蓋１６０と基底部１５１はキャビティ１６２を形成し、側面１５３aと１６４aに近い基底部と蓋の開口がキャビティ１６２への第一の開口１６８を形成し、側面１５３bと１６４bに近い基底部と蓋の開口がキャビティ１６２への第二の開口１６９を形成する。
【００２３】
インサート１５０におけるオプションとしての複数の開き口１５６は、蓋１６０を開かずにキャビティ１６２内に収容された有害生物を目で見て検査することを可能にする。
【００２４】
インサート１５０は、開口１６８と１６９の近くに進入機構１９４を含む。進入機構１９４は、好ましくは、当業者に周知の傾斜平面トラップ・アセンブリである。使用できそうな傾斜平面トラップアセンブリの例としては、ペンシルベニア州のリテッツ（Lititz）にあるウッドストリームコーポレーションによるTIN CAT（商標）繰り返し式のマウストラップ、モデルＭ３１０、及び米国特許第4,103,448号（US-A-4,103,448）及び米国特許出願第09/729,832号、第10/196,690号、第10/383,620号、第10/383,737号に示され、記載されている傾斜平面トラップアセンブリがあり、これらは参照によって本明細書に組み込まれる。傾斜平面トラップアセンブリが好ましいけれども、インサート１５０への一種以上の有害生物の進入を可能にし、インサート１５０からその一種以上の有害生物の退去を阻止する適当などんな装置を使用してもよい。
【００２５】
進入機構１９４のそれぞれは、有害生物がキャビティ１６２に進入できるが退去できないドア１９４aを開口１６８と１６９の近くに含む。底面に近い進入機構１９４の各側面には外向きに伸びたフランジを有する。図９に示されているように、フランジ１９５aは第二のタブ１５５bに対応し、フランジ１９５bは第一のタブ１５４bに対応する。同様に、第二の進入機構１９４では、フランジ１９５aは第一のタブ１５４aに対応し、フランジ１９５bは第二のタブ１５５aに対応する。
【００２６】
第一のタブ１５４aと第二のタブ１５５aのタブは内向きに互いの方へ伸び、第一のタブ１５４bと第二のタブ１５５bのタブは内向きに互いの方へ伸び、進入機構１９４をキャビティ１６２内で開口１６８と１６９の近くに位置させるために進入機構１９４のフランジ１９５aと１９５bをスライドさせることができるチャンネルを形成する。進入機構１９４はまた、内向きに縮めてフランジ１９５aと１９５bを内向きに曲げてタブに挿入することもできる。インサート１５０を動かすと、タブが進入機構１９４をキャビティ１６２内の位置に保つ。必要に応じて、開口１６８aと１６９aを通してスライドさせるだけで、又は進入機構１９４を内向きに縮めてフランジ１９５aと１９５bを内向きに曲げるだけで進入機構１９４を取り外すことができる。
【００２７】
開口１６８の近くのオプションとしてのアクセス部材１９６a及び開口１６９の近くのオプションとしてのアクセス部材１９６bを使用することができ、インサート１５０に容易に結合したり切り離したりできる。図９に示されているように、アクセス部材１９６bは側面１９９aと１９９ｂを含み、それがトップ１９７とボトム１９８を連結している。トップ１９７は開口１６９の近くから天幕のように外側へ伸びて、やはり開口１６９の近くから外側へ伸びているボトム１９８に多少の防護になっている。ボトム１９８は、好ましくはステップ部材を含むが、織り目がついた傾斜路など、有害生物が地面や他の表面の近くから上へ開口１６９まで登坂することを助ける任意の適当な登坂補助部材を含むことができる。側面１９９bは、そこからトップ１９７とボトム１９８が伸びている側面と反対に外側へ伸びている側面コネクタ２００bを含む。図９と１０に示されているように、側面コネクタ２００bはフック状の端部を有し、レセプタクル１５９bにスライドして入るように構成され配置サレル。ボトム１９８は、そこからトップ１９７とボトム１９８が伸びている側面と反対に外側へ伸びているボトムコネクタ２０１を含む。図９と１０に示されているように、ボトムコネクタ２０１は、Y-端部を含み、端部からフック状突起部２０１aが上へ伸び突起部２０１bが下へ伸びている。ボトムコネクタ２０１は底板１５２の下に配置され、フック状突起部２０１aが上に伸びてレセプタクル１５２bと係合する。
【００２８】
側面コネクタ２００bのフック状端部がレセプタクル１５９bと係合し、ボトムコネクタ２０１のフック状突起部２０１aがレセプタクル１５２bと係合してアクセス部材１９６bをインサート１５０に結合する。アクセス部材１９６bをインサート１５０から切り離すには、側面コネクタ２００bを上に曲げてフック状端部をレセプタクル１５９bから外し、ボトムコネクタ２０１を下へ曲げてフック状突起部２０１aをレセプタクル１５２bから外す。突起部２０１bを用いてボトムコネクタ２０１を下へ曲げることができる。
【００２９】
アクセス部材１９６aも、開口１６８の近くで使用するために同様に構成されており、レセプタクル１５９aにスライドして入るように構成され配置された側面コネクタ２００aを含む。あるいはまた、アクセス部材１９６aと１９６bをねじなどの固定具によって結合することもできる。表面１９６aと１９６bは、有害生物が開口１６８と１６９まで上へ登坂することを助ける、有害生物がハウジング１０１のキャビティ１０８にアクセスすることを阻止する、及び汚染物質がキャビティ１６２と１０８に入るのを防ぐなど、いろいろな機能を備える。
【００３０】
インサート１５０にはいろいろなオプションとしての形態があり、インサート１５０はハウジング１０１と共に、又はそれだけでも使用することができる。インサート１５０をハウジング１０１のキャビティ１０８内に入れることができるが、そこでインサート１５０は地面又は床に対して高くなり、インサート１５０へのアクセス部材１９６a及び１９６bを結合してネズミなどが高くなったインサート１５０へ進入するのを助けることが好ましい。インサート１５０は進入機構１９４を複数キャッチトラップ・アセンブリになるように含めて、インサート１５０内に一匹よりも多くの有害生物をトラップできるようにすることができる。さらに、進入機構１９４を用いるかどうかに関わりなく、インサート１５０内に粘着ボード（glue board）又は少なくともひとつのスナップトラップをインサート１５０のキャビティ１６２内に配置してインサート１５０内で少なくとも一匹の有害生物をトラップするようにできる。さらに、無毒及び有毒の餌や誘因物質をインサート１５０のキャビティ１６２内に配置することもできる。アクセス部材１９６aと１９６bをインサート１５０から切り離してインサート１５０をそれだけで使用することもできる。インサート１５０の形は、背面１５７と１６５を壁に近づけて壁に配置することも、コーナーを形成する壁に側面１５３aと１５３bを近づけてコーナーに配置することもできる。インサート１５０はロック機構を含むことができ固定具で地面や壁に固定して、いたずらしにくい装置にすることもできる。
【００３１】
第二のインサート１７０は基底部１７１を含み、そこから側面（複数）１７５が背部１７３の近くで上向きに伸び、基底部１７１の側面がその間にキャビティ１７８を画定する。前面部分１７６が基底部１７１の前部１７２から外向き及び下向きに伸び、有害生物が登坂してキャビティ１７８に入るのを助ける織り目がついた表面１７６aをオプションとして含む。仕切１７１aが基底部１７１の背部１７３の中央近くから及び側面１７５から上向きに伸び前部１７２の中央まで伸びる。仕切１７１aの各側に、基底部１７１の背部１７３の近くから上向きに伸びる結合部材１７４がある。前部１７２と背部１７３の間の側面１７５のトップの近くにハンドル１７９があり、そこから外側へ伸びている。インサート１７０のボトムは、好ましくは、前部１７２及び前面部分１７６の近くのボトムから下向きに伸びる突起部１８７を含む。突起部１８７はさら１０５のキャビティへ伸びて、インサート１７０が前方へスライドして基底部１０２から出てしまうことを阻止する。インサート１７０は図１４−１７に示されている。
【００３２】
スナップトラップ１８０をキャビティ１７８の仕切１７１aの各側に配置することができる。多くの異なるタイプのスナップトラップを使用できるが、適当なスナップトラップの一例は、アイオア州のアルビア（Albia）にあるネス製作所（Kness Mfg. Co. Inc.）によって製造されているSNAP E（商標）マウストラップ、製品コード102-0-001、である。スナップトラップ１８０のボトムは、図１９に示されているような空所１８１を含み、結合部材（複数）１７４が図１８に示されているように空所１８１に嵌合し、スナップトラップ１８０が前方へスライドして基底部１７１から出てしまうことを阻止する。好ましくは、結合部材１７４は上向きに背部１７３の方へアングルを有し、単に結合部材１７４に沿って後方へ結合部材１７４が空所１８１に嵌合するまでスナップトラップ１８０をスライドさせるだけでよい。スナップトラップ１８０を結合部材１７４から切り離すためには、スナップトラップ１８０を上向きに持ち上げるだけでよい。結合部材１７４はスナップトラップ１８０を基底部１７１に固定しない。それは、ひとつのスナップトラップが作動したときに他のスナップトラップが作動する確率を減少させるからである。スナップトラップ（複数）が基底部１７１に固定された場合、ひとつのスナップトラップが作動したときの力は他のスナップトラップが作動する可能性を増大させる。図１８に示されているように、誘因物質１８６をスナップトラップ１８０と共に使用できる。
【００３３】
図２１に示されているように、第三のインサート１７０’は第二のインサート１７０と同様であるが、各ハンドル１７９’に開き口１７９a、側面１７５’のハンドル１７９’の近くに切欠き１８３を含み、それが対応する開き口１７９a、及び各切欠き１８３の下の開き口１８２と整列している。ロッド１８４は第一の端１８４aと第二の端１８４bを含む。第二の端１８４bは、第一の端１８４aに対して上向き、外向き、次いで下向きに曲げられる。第一の端１８４aは切欠き１８３及び開き口１７９aに挿入されるように構成され配置される。餌１８５はロッド１８４の第一の端１８４aにねじ込まれ、ロッド１８４で餌の一片が仕切１７１a’の各側にあるように配置される。ロッド１８４は水平の向きで示されているが、ロッドは仕切１７１a’の一方又は両方の側で垂直な向きにすることもできる。例えば、ロッドはインサートの基底部の開き口に、好ましくは対合するねじ溝を有する開き口に挿入し、餌は単にロッドの他端にねじ込むこともできる。あるいはまた、餌は基底部で仕切の各側に置くだけでもよいが、この場合有害生物が餌全体をインサートから取り出すこともある。ロッドにねじ込むことによって、有害生物が餌を食べているときに、餌が有害生物の証拠を示す。あるいはまた、図２０−２１に示されているように、基底部１７１の前部１７２及び前面部分１７６の近くから上向きに伸びたたな状の突起部である結合部材１７７を用いて、スナップトラップ又は餌が前方にスライドして基底部１７１から出ることを阻止することもできる。また、粘着ボード、並びに水と１，２個のスナップトラップ、を基底部のキャビティ内に置くこともできる。
【００３４】
第四のインサート３００が図２２−２６に示されており、インサート１５０と同様である。これらのインサートは類似しているので、ここではインサート３００の顕著な相異だけを説明する。インサート３００は、アクセス部材３９６aと３９６bを含み、それぞれ開き口３１２aと３１２bを有し、それに固定具を挿通して開口３６８aと３６９aの近くで基底部３５１にそれらを固定する。トップ部分３９７aと３９７bは、開口３６８bと３６９bの近くで固定具３１３を蓋３６０の開き口３１４aと３１４bに挿通することによって蓋３６０に固定具３１３によって固定される。インサート３００をそれだけで使用したい場合、アクセス部材３９６aと３９６bは、固定具３１１を除去するだけで取り外すことができる。オプションとして、トップ部分３９７aと３９７bも、固定具３１３を除去するだけで取り外すことができる。
【００３５】
インサート３００はまたフランジ３９５aと３９５bを有する進入機構３９４を含み、これらを開口３６８aと３６９aの近くで基底部３５１に取り付けられたブラケット３１６aと３１６bにスライドさせることによって基底部３５１に摺動可能に結合する。ブラケット３１６aと３１６bは、長方形のプレート部材であって、対向する辺が上向きに曲げられてチャンネルを形成し、それを通って進入機構３９４がスライドされる。図２３と２４に示されているように、ブラケット３１６aと３１６bの曲げられた辺３１７aと３１７bが進入機構３９４のフランジ３９５aと３９５bと係合する。
【００３６】
ロック機構１４２と同様のロック機構３４２が蓋３６０を基底部３５１に固定する。基底部３５１は、蓋３６０に結合された雄部分３４３を受け入れるように構成され配置された雌部分３４４を含む。雄部分３４３をキャビティ３６２に収容された有害生物による接触から守るためにシールド３４５を蓋３６０に結合することもできる。
【００３７】
ハウジング１０１はこれらのインサートのいずれとも使用できる。図６に示されたインサート１５０の場合、インサート１５０の背部１５７と１６５が基底部１０２の背壁１１１の突起部１１２と１１３の近くに配置され、インサート１５０の前部１５８と１６６が基底部１０２の前壁１０７の突起部１０９の近くに配置される。アクセス部材１９６aと１９６bは、それぞれ、傾斜した通路１１９と１１６の近くに配置される。高くなったプラットホーム１０６がインサート１５０の基底部１５１を地面やその他の表面に対して高くするが、傾斜した通路１１６と１１９又はアクセス部材１９６aと１９６b（用いる場合）の底面１９８が、有害生物が高くなった基底部１５１まで登坂することを可能にする。アクセス部材１９６aと１９６bが用いられない場合、傾斜した通路１１６と１１９に織り目を付けることができる。ハウジング１０１の蓋１２４を閉じると、突起部１３２がインサート１５０の蓋１６０に近くなり、蓋１６０と接触する可能性もあり、インサート１５０を基底部１０２と蓋１２４の間に挟んでインサート１５０がキャビティ１３７内で垂直方向に大きく動きすぎないようにする。突起部１０９，１１２，及び１１３は、インサート１５０がキャビティ１３７内で側方へ大きく動きすぎないようにする。有害生物は開口１３８と１３９に進入し、傾斜した通路１１６と１１９又はアクセス部材１９６aと１９６b（用いる場合）を登坂し、進入機構１９４（用いる場合）のドア１９４aを通って、キャビティ１６２に入ることによってインサート１５０のキャビティ１６２にアクセスできる。餌、粘着ボード、スナップトラップ、その他のデバイスをキャビティ１６２内に配置できる。
【００３８】
同様に、インサート３００の場合、基底部３５１と蓋３６０の背部は膨らみ部分を含み、それが突起部１１２と１１３の間に嵌合し、それもキャビティ１３７内でのインサート３００の側方への動きを防止する。
【００３９】
図14と15に示されているインサート１７０の場合、ハンドル１７９を用いてハウジング１０１のキャビティ１３７にインサート１７０を入れたり、インサート１７０を持ち上げて出したりできる。背部１７３は背壁１１の近くでハウジング１０１の突起部１１２と１１３の間に位置し、突起部１１２と１１３側面１７５のカーブしているコーナーに対応するカーブした表面１１２aと１１３aを含む。前面部分１７６は突起部１０９の近くに位置し、前面部分１７６が、インサート１７０の下のさら１０５のキャビティ１５aに有害生物がアクセスすることを防ぐ。インサート１７０’は同様にハウジング１０１内に図２０に示されているように嵌合する。
【００４０】
汎用有害生物防除ステーションは、トラップ又は監視装置を含むいろいろなインサートを支持するハウジングを含む。適当なトラッピングとしては、シングルトラップ、複数キャッチトラップ、スナップトラップ、粘着ボード、溺死トラップ、感電トラップ、生け捕りトラップ、わな、その他の当業者に認められているトラップがある。適当な監視装置としては、殺虫剤成分なしで作られた食物ベースのブロック、赤外検出器、運動検出器、音響検出器、機械的感知プレート、その他の当業者に認められている監視装置がある。インサートはまた、又は代わりに、殺虫剤の餌（単数又は複数）を含むこともできる。
【００４１】
インサートは、餌（bait）ステーションに、望ましくは工具なしに、容易に設置され、取り外されることが望ましい。インサートは、ハウジング、基底部、取り付けプレート、シュー（shoe）その他、ステーション・ハウジングにおける相補的なさら、プラットホーム、サポート、シュー、つめ（detent）、マウント、ラッチ、レセプタクル、又はその他の受容手段と対になっている表面を含み、取り付けにゆるみや欠陥を生ずることなくステーション・ハウジングに適正に取り付けられ、配向されることが望ましい。
【００４２】
例えば、インサートは、エコラブ社（Ecolab Inc.）からのCHECKPOINT（商標）餌ステーションや他の会社から市販されている既存ステーションに嵌合するようにできる。インサート又はその取り付け表面は、床その他の水平表面に置かれたときにインサートが屋内トラップとして又は監視装置として独立して使用でき、使用中にチッピング（tipping）、転倒、その他の整列の狂いを生じないことが望ましい。インサートにはオプションとして蓋を備えることができる。蓋又はインサートは、インサートを閉じたままにするため又はステーション・ハウジングに固定するためのロックをオプションとして含むことができる。
【００４３】
CHECKPOINT（商標）餌ステーションは、略D-型のプラスチック餌ステーションであるが、咬む気持ちを起こさせないようにエッジを丸め、容易にアクセスするために、蓋を回動させる又は取り外すことができるようにすることが望ましい。餌ステーションはまた、アクセスを管理するためのロックを備えることが望ましい。有害生物の進入口はステーションの対向する側面に、好ましくはエッジ又は壁の近くに配置される。
【００４４】
CHECKPOINT（商標）餌ステーションでは、いろいろなインサートを使用できる。第一のインサートは、カバーを有する“ボックス”状の構造であって、ステーションの蓋を取り外したときにカバーをインサート基底部から完全に取り外すことができる。インサートの内側には二つのネズミ・トラップが配置され、インサートにはすぐに外すことができる歩行路用の板があり、有害生物がインサートの高さまで進むための路になる。第二のインサートは第一のインサートと同様のものであるが、カバーを基底部に結合するヒンジを有する。
【００４５】
第一のインサートも第二のインサートも、望むなら、独立に（例えば、餌ステーションの外で）屋内用のトラップとして使用できる。餌ステーションに設置されたとき、望ましくは、インサートは餌ステーションの入口よりも高くなっていて、インサートが入口の高さである場合に比べて雨水の進入や餌ステーション入口の近くのたまり水からよく守られる。餌ステーションを閉じると、もっと大きな標的以外の有害生物、動物、及び子供はインサートにアクセスすることができない。
【００４６】
第三のインサートもボックス状であり、二つの一方向進入トンネルを持つ複数キャッチトラップを収容できる。孔があって、そこから見る人はインサートを開かなくてもトラップに有害生物が入っているかどうか確かめることができる。オプションとして、取り外しできるステップが有害生物をインサートに導くために設けられる。オプションとして、取り外しできるシールドが餌ステーションの開放エリアをブロックして有害生物がインサートのまわりでうろうろすることを防止する。
【００４７】
第四のインサートはスナップトラップを載置し、それに餌を置いたり、餌ロッドを取り付けたりできるトレー状の容器である。
【００４８】
インサートはどんな好適なサイズであってもよい。ボックス状インサートはほぼ深さ5.5インチ（12.7cm）、幅12インチ（30.48cm）、高さ2.25インチ（5.72cm）であってよい。インサートは、プラスチック、木、紙、及び金属など、いろいろな材料で作ることができるが、金属シートが好ましい。
【００４９】
一つ以上の試験施設でインサートを評価することができる。候補試験施設は、その施設の外側で有害生物の活動が見られるかどうかを検討すべきである。その施設の既存CHECKPOINT（商標）餌ステーションを用いていろいろなインサートを収容することができ、DETEX（商標）殺虫剤ブロックを備えたひとつ又は二つのCHECKPOINT（商標）餌ステーションをモニター用途に用いることができる。ラットとマウスのモニタリングでは、ステーションをごみ容器のまわりに配置すべきである。施設内部及びまわりに残されたステーションから使用中の餌を除去し、評価の間、DETEX（商標）ブロックに代えなければならない。すべてのステーション及びステーション環境は設備配置図で確認できる。ステーションは毎週検査しなければならない。施設へのすべての進入ポイントに屋内用複数キャッチトラップを配置し、ときどき検査して試験施設への有害生物進入防止を評価することができる。CHECKPOINT（商標）餌ステーション及び屋内用複数キャッチトラップにおけるトラップされた有害生物の数、その体長及び種をカウントしなければならない。また、ステーション及び屋内用複数キャッチトラップにおける（スナップトラップの跳ね上がり、毛がついている粘着ボード、など）キャッチし損なった数もカウントしなければならない。ステーション及び屋内用複数キャッチトラップにおける有害生物の他の活動（糞、かじられたDETEX（商標）ブロック、など）もモニターできる。試験施設の近くの同様の施設を比較観察、主観的観察のために評価することもできる。この同様の施設は、複数目的でのインサートを含むCHECKPOINT（商標）餌ステーションを有していないであろうが、付近の有害生物活動比較のためのコントロールとして使用できる。また、インサートを点検するのにかかる時間、使い易さ、損傷、などのユーザー・インターフェース因子に関する記録も取ることができる。
【００５０】
上述した明細書、実施例、及びデータは、本発明の組成物の完全な記載になっている。本発明の精神と範囲から逸脱することなく多くの実施形態が可能であるから、本発明は以下に添付された特許請求の範囲によって規定される。
【図１】
2010504092.tif 000003
【図２】
2010504092.tif 000004
【図３】
2010504092.tif 000005
【図４】
2010504092.tif 000006
【図５】
2010504092.tif 000007
【図６】
2010504092.tif 000008
【図７】
2010504092.tif 000009
【図８】
2010504092.tif 000010
【図９】
2010504092.tif 000011
【図１０】
2010504092.tif 000012
【図１１】
2010504092.tif 000013
【図１２】
2010504092.tif 000014
【図１３】
2010504092.tif 000015
【図１４】
2010504092.tif 000016
【図１５】
2010504092.tif 000017
【図１６】
2010504092.tif 000018
【図１７】
2010504092.tif 000019
【図１８】
2010504092.tif 000020
【図１９】
2010504092.tif 000021
【図２０】
2010504092.tif 000022
【図２１】
2010504092.tif 000023
【図２２】
2010504092.tif 000024
【図２３】
2010504092.tif 000025
【図２４】
2010504092.tif 000026
【図２５】
2010504092.tif 000027
【図２６】
2010504092.tif 000028
【国際調査報告】
2010504092.tif 000029
2010504092.tif 000030